(57)【特許請求の範囲】
【請求項１】
昇降路を昇降する昇降体、一端が上記昇降路上端部の固定体に保持されて上記昇降体の側面に沿って下垂し上記昇降体の下部に枢持された滑車に係合された複数本の主索と、一側が上記昇降路の固定部に固定され他側は上記主索の保持端寄りに配置されて上記主索の少なくとも一本に接し、上記主索の水平方向における下垂位置を上記昇降体の側面から離れた位置に規制する規制体とを備えたエレベーターロープ装置。
【請求項２】
昇降路を昇降する昇降体、上記昇降路の上端部に設けられて上記昇降体に対して水平方向に接近隔離可能に締結された綱止め板を有する固定体と、一端が上記綱止め板を介して上記固定体に保持されて上記昇降体の側面に沿って下垂し上記昇降体の下部に枢持された滑車に係合された複数本の主索と、一側が上記昇降路の固定部に固定され他側は上記主索の保持端寄りに配置されて上記主索の少なくとも一本に接し、上記主索の水平方向における下垂位置を上記昇降体の側面から離れた位置に規制する規制体とを備えたエレベーターロープ装置。
【発明の詳細な説明】
【０００１】
【産業上の利用分野】
この発明は、昇降体下部の滑車を介して昇降体を支持するエレベーターロープ装置に関する。
【０００２】
【従来の技術】
図１６及び図１７は、例えば実開昭６３−１８０６８４号公報に示されたものに類似した従来のエレベーターロープ装置を示す図で、図１６はエレベーター装置の要部側面図、図１７は図１６の要部右側面図である。図において、(1)はエレベーターの昇降路、(2)は昇降路(1)の上端部に設けられた綱止め梁からなる固定体、(3)は昇降路(1)を昇降するかごからなる昇降体で、かご床(4)、かご床(4)に立設されたかご室(5)、かご床(4)を支持したかご枠(6)、及びかご床(4)の奥行き方向の端部とかご枠(6)の上端部を連結した斜め控え(7)によって構成されている。(8)はかご枠(6)の下面に設けられた滑車枠、(9)は滑車枠(8)に枢着されてかご床(3)の間口方向の両端部にそれぞれ配置された滑車である。
【０００３】
(10)は固定体(2)の上面に設けられた綱止め板、(11)は綱止め板(10)に挿通されて固定体(2)の長手に直交した両側にそれぞれ配置されてばね(12)を介して綱止め板(10)に保持された綱止め具、(13)は複数本からなり一端がそれぞれ綱止め具(11)に連結されて綱止め具(11)、綱止め板(10)を介して固定体(2)に保持された主索で、固定体(2)から下垂して滑車(9)のそれぞれに巻掛けられて上昇して配置されて昇降体(3)を支持する。(14)は昇降路(1)に立設されて昇降体(3)の昇降を案内する案内レールである。
【０００４】
従来のエレベーターロープ装置は上記のように構成されて、主索(13)の反保持側が図示が省略してあるが巻上機、油圧ジャッキ等により上昇又は下降される。これによって、主索(13)に下部が支持された昇降体(3)を昇降させるようになっている。
【０００５】
【発明が解決しようとする課題】
上記のような従来のエレベーターロープ装置において綱止め具(11)の直径が主索(13)の直径よりも大きくなる。これにより綱止め板(10)箇所において綱止め具(11)が相互に接触することを防ぐために、綱止め具(11)の相互間隔が図１７に示すように互いに平行に配置された主索(13)の相互間隔よりも広く配置される。すなわち、複数本の主索(13)は保持端側において上方が広がった扇形に配置される。このため、昇降体(3)が上昇して主索(13)の保持端に接近すると、斜め控え(7)等の昇降体(3)部材に主索(13)が接触して異常音等を発生するという問題点があった。
【０００６】
なお、昇降体(3)が上昇して主索(13)の保持端に接近した場合に、斜め控え(7)等の昇降体(3)部材に接触しなくても主索(13)との隙間が減少するため、昇降体(3)に揺れが生じると昇降体(3)部材が主索(13)に接触することがある。
【０００７】
この発明は、かかる問題点を解消するためになされたものであり、昇降体が主索の保持端に接近したときの主索の下垂位置が規制されたエレベーターロープ装置を得ることを目的とする。
【０００８】
【課題を解決するための手段】
この発明の請求項１記載の発明に係るエレベーターロープ装置においては、昇降路を昇降する昇降体、一端が昇降路上端部の固定体に保持されて昇降体の側面に沿って下垂し昇降体の下部に枢持された滑車に係合された複数本の主索と、一側が昇降路の固定部に固定され他側は主索の保持端寄りに配置されて主索の少なくとも一本に接し、主索の水平方向における下垂位置を昇降体の側面から離れた位置に規制する規制体とが設けられる。
【０００９】
また、この発明の請求項２記載の発明に係るエレベーターロープ装置においては、昇降路を昇降する昇降体、この昇降路の上端部に設けられ昇降体に対して水平方向に接近隔離可能に締結された綱止め板を有する固定体と、一端が綱止め板を介して固定体に保持されて昇降体の側面に沿って下垂し昇降体の下部に枢持された滑車に係合された複数本の主索と、一側が昇降路の固定部に固定され他側は主索の保持端寄りに配置されて主索の少なくとも一本に接し、主索の水平方向における下垂位置を昇降体の側面から離れた位置に規制する規制体とが設けられる。
【００１０】
【作用】
上記のように構成されたこの発明の請求項１記載の発明では、下垂した主索の保持端寄りの水平方向位置が昇降路に設けられた規制体によって規制されて、昇降体が主索の保持端に接近したときの昇降体部材と主索の隙間が確保される。
【００１１】
また、上記のように構成されたこの発明の請求項２記載の発明では、綱止め板により昇降体に対して水平方向に接近隔離可能に主索の保持端が配置される。そして、下垂した主索の保持端寄りの水平方向位置が昇降路に設けられた規制体によって規制されて、昇降体が主索の保持端に接近したときの昇降体部材と主索の隙間が確保される。
【００１２】
【実施例】
実施例１．
図１〜図５は、この発明の一実施例を示す図で、図１はエレベーター装置の要部側面図、図２は図１の要部右側面図、図３は図２のＡ部拡大図、図４は図３の要部右側面図、図５は図４の平面図である。図において、(1)はエレベーターの昇降路、(2)は昇降路(1)の上端部に設けられた綱止め梁からなる固定体、(3)は昇降路(1)を昇降するかごからなる昇降体で、かご床(4)、かご床(4)に立設されたかご室(5)、かご床(4)を支持したかご枠(6)、及びかご床(4)の奥行き方向の端部とかご枠(6)の上端部を連結した斜め控え(7)によって構成されている。(8)はかご枠(6)の下面に設けられた滑車枠、(9)は滑車枠(8)に枢着されてかご床(3)の間口方向の両端部にそれぞれ配置された滑車である。
【００１３】
(10)は固定体(2)の上面に設けられた綱止め板、(11)は綱止め板(10)に挿通されて固定体(2)の長手に直交した両側にそれぞれ配置されてばね(12)を介して綱止め板(10)に保持された綱止め具、(13)は複数本からなり一端がそれぞれ綱止め具(11)に連結されて綱止め具(11)、綱止め板(10)を介して固定体(2)に保持された主索で、固定体(2)から下垂して滑車(9)のそれぞれに巻掛けられて上昇して配置されて昇降体(3)を支持する。(14)は昇降路(1)に立設されて昇降体(3)の昇降を案内する案内レールである。
【００１４】
(15)は規制体で、一側が案内レール(14)からなる昇降路(1)の固定部(16)に、クリップ(17)、クリップ(17)及び固定部(16)に挿通されたボルト、及びボルトにねじ込まれたナットからなる締結具(18)によって固定され、他側は主索(13)の保持端寄りに主索(13)と対向して配置されている。(19)は規制体(15)の主索(13)との対向面に接着剤により固定されたゴム等の軟質材である。
【００１５】
上記のように構成されたエレベーターロープ装置においては、主索(13)の反保持側が図示が省略してあるが巻上機、油圧ジャッキ等により上昇又は下降される。これにより、主索(13)に下部が支持された昇降体(3)が昇降する。また、規制体(15)は主索(13)との対向部により軟質材(19)を介して主索(13)の少なくとも一本に接し主索(13)を昇降体(3)から離れる方向へ押圧し、主索(13)の水平方向における下垂位置が規制される。
【００１６】
これによって、昇降体(3)が上昇して主索(13)の保持端に接近しても、斜め控え(7)等の昇降体(3)部材と主索(13)との間に隙間が確保される。したがって、昇降体(3)に主索(13)が接触することによる異常音等の発生を未然に防止することができる。なお、昇降体(3)に揺れが生じたときの昇降体(3)部材が主索(13)に接触する恐れも解消される。
【００１７】
また、図１〜図５の実施例おいて、規制体(15)は主索(13)との対向部により軟質材(19)を介して主索(13)を押圧するので、押圧による主索(13)の損傷を防ぐことができる。
【００１８】
実施例２．
図６〜図９は、この発明の他の実施例を示す図で、図６はエレベーター装置の要部側面図、図７は図６の要部右側面図、図８は図７の規制体箇所の拡大斜視図、図９は図８の要部拡大縦  断面図である。図において、(1)はエレベーターの昇降路、(2)は昇降路(1)の上端部に設けられた綱止め梁からなる固定体で、後述する昇降体から離れ、図７に示すように横断面において昇降体寄りが上昇する姿勢に傾いて配置されている。
【００１９】
(3)は昇降路(1)を昇降するかごからなる昇降体で、かご床(4)、かご床(4)に立設されたかご室(5)、かご床(4)を支持したかご枠(6)、かご床(4)の奥行き方向の端部とかご枠(6)の上端部を連結した斜め控え(7)、かご枠(6)の上梁に設けられたガイドシュー(20)、及びガイドシュー(20)の上に装着された給油器(21)によって構成されている。(8)はかご枠(6)の下面に設けられた滑車枠、(9)は滑車枠(8)に枢着されてかご床(3)の間口方向の両端部にそれぞれ配置された滑車である。
【００２０】
(10)は固定体(2)の上面に設けられた綱止め板、(11)は綱止め板(10)に挿通されて固定体(2)の長手に直交した両側にそれぞれ配置されてばね(12)を介して綱止め板(10)に保持された綱止め具、(13)は複数本からなり一端がそれぞれ綱止め具(11)に連結されて綱止め具(11)、綱止め板(10)を介して固定体(2)に保持された主索で、固定体(2)から下垂して滑車(9)のそれぞれに巻掛けられて上昇して配置されて昇降体(3)を支持する。(14)は昇降路(1)に立設されてガイドシュー(20)が移動可能に係合され昇降体(3)の昇降を案内する案内レールである。
【００２１】
(15)は規制体で、脚部(22)に大きく突出湾曲したガイド(23)が設けられて脚部(22)が、アンカーボルト(30)によって昇降路(1)の壁からなる昇降路(1)の固定部に固定され、ガイド(23)の主索(13)との対向部には接着剤によりゴム等の軟質材(19)が固定されて、主索(13)の保持端寄りに主索(13)と対向して配置されている。
【００２２】
上記のように構成されたエレベーターロープ装置においては、主索(13)の反保持側が図示が省略してあるが巻上機、油圧ジャッキ等により上昇又は下降される。これにより、主索(13)に下部が支持された昇降体(3)が昇降する。また、規制体(15)は主索(13)との対向部により軟質材(19)を介して主索(13)を昇降体(3)に近づく方向へ押圧し、主索(13)の水平方向における下垂位置が規制される。
【００２３】
そして、固定体(2)が水平方向において昇降体(3)から離れ、図７に示すように横断面において昇降体(3)寄りが上昇する姿勢に傾いて配置されて、昇降体(3)の機器（図示しない)に当たらないように設置することができる。また、昇降路(1)の頂部における昇降体(3)との隙間を容易に所要値に確保することができる。
【００２４】
また、昇降路(1)における主索(13)の保持位置が水平方向において昇降体(3)から離れるため、昇降体(3)が主索(13)の保持端に接近すると主索(13)が滑車(9)から逸脱することが考えられる。しかし、規制体(15)によりは主索(13)が昇降体(3)に近づく方向へ押圧されて、主索(13)の水平方向における下垂位置が規制される。これによって、主索(13)の滑車(9)に対する巻掛角度を適正に保つことができ主索(13)が滑車(9)から逸脱する事故の発生を未然に防止することができる。
また、図６〜図９の実施例おいて、規制体(15)は主索(13)との対向部により軟質材(19)を介して主索(13)を押圧するので、押圧による主索(13)の損傷を防ぐことができる。
【００２５】
実施例３．
図１０及び図１１も、この発明の他の実施例を示す図で、図１０はエレベーター装置の要部  側面図、図１１は図１０の要部右側面図である。図において、(1)はエレベーターの昇降路、(2)は昇降路(1)の上端部に設けられた綱止め梁からなる固定体、(3)は昇降路(1)を昇降するかごからなる昇降体で、かご床(4)、かご床(4)に立設されたかご室(5)、かご床(4)を支持したかご枠(6)、及びかご床(4)の奥行き方向の端部とかご枠(6)の上端部を連結した斜め控え(7)によって構成されている。(8)はかご枠(6)の下面に設けられた滑車枠、(9)は滑車枠(8)に枢着されてかご床(3)の間口方向の両端部にそれぞれ配置された滑車である。
【００２６】
(10)は固定体(2)の上面に設けられた綱止め板、(11)は綱止め板(10)に挿通されて固定体(2)の長手に直交した両側にそれぞれ配置されてばね(12)を介して綱止め板(10)に保持された綱止め具、(13)は複数本からなり一端がそれぞれ綱止め具(11)に連結されて綱止め具(11)、綱止め板(10)を介して固定体(2)に保持された主索で、固定体(2)から下垂して滑車(9)のそれぞれに巻掛けられて上昇して配置されて昇降体(3)を支持する。(14)は昇降路(1)に立設されて昇降体(3)の昇降を案内する案内レールである。
【００２７】
(15)は規制体で、一側が昇降体(3)のかご枠(6)に締結された腕体(24)及び腕体(24)の他側に枢持されて主索(13)に対向したローラー(25)により構成されて、主索(13)の保持端寄りに配置されている。
【００２８】
上記のように構成されたエレベーターロープ装置においては、主索(13)の反保持側が図示が省略してあるが巻上機、油圧ジャッキ等により上昇又は下降される。これにより、主索(13)に下部が支持された昇降体(3)が昇降する。また、規制体(15)は主索(13)との対向部により主索(13)の少なくとも一本に接し主索(13)を昇降体(3)から離れる方向へ押圧し、主索(13)の水平方向における下垂位置が規制される。
【００２９】
これによって、昇降体(3)が上昇して主索(13)の保持端に接近しても、斜め控え(7)等の昇降体(3)部材と主索(13)との間に隙間が確保される。したがって、昇降体(3)に主索(13)が接触することによる異常音等の発生を未然に防止することができる。なお、規制体(15)により昇降体(3)に揺れが生じたときの昇降体(3)部材が主索(13)に接触する恐れも解消される。
【００３０】
実施例４．
図１２及び図１３も、この発明の他の実施例を示す図で、図１２は前述の図３相当図、図１３は図１２の綱止め板(10)箇所の斜視図、なお、図１２及び図１３の他は図１〜図５の実施例と同様に構成されている。図において、(2)は昇降路(1)の上端部に設けられた綱止め梁からなる固定体、(10)は固定体(2)の上面に設けられた綱止め板で、後述する綱止め具(11)が挿通される貫通孔(26)及び昇降体(3)に接近、隔離する方向に長い長穴(27)が設けられている。(28)は締結具で、固定体(2)及び綱止め板(10)の長穴(28)に挿通されたボルトとこのボルトの挿通端にねじ込まれたナットからなり、綱止め板(10)を固定体(2)に長穴(28)の長手に沿う方向に移動可能に締結する。
【００３１】
上記のように構成されたエレベーターロープ装置においては、主索(13)の反保持側が図示が省略してあるが巻上機、油圧ジャッキ等により上昇又は下降される。これにより、主索(13)に下部が支持された昇降体(3)が昇降する。また、規制体(15)は主索(13)との対向部により軟質材(19)を介して主索(13)の少なくとも一本に接し主索(13)を昇降体(3)から離れる方向へ押圧し、主索(13)の水平方向における下垂位置が規制される。
【００３２】
これによって、昇降体(3)が上昇して主索(13)の保持端に接近しても、斜め控え(7)等の昇降体(3)部材と主索(13)との間に隙間が確保される。したがって、昇降体(3)に主索(13)が接触することによる異常音等の発生を未然に防止することができる。なお、昇降体(3)に揺れが生じたときの昇降体(3)部材が主索(13)に接触する恐れも解消される。
【００３３】
また、図１２及び図１３の実施例おいて、綱止め板(10)の長穴(27)により昇降体(3)に対する綱止め板(10)の間隔を調整して固定体(2)に締結することができる。これによって、エレベータの据付誤差があった場合であっても、昇降体(3)に対する適正位置に綱止め板(10)を装着することができ、エレベータの据付工事の能率を向上することができる。
【００３４】
実施例５．
図１４及び図１５も、この発明の他の実施例を示す図で、図１４は前述の図３相当図、図１５は図１４の固定体(2)箇所の斜視図、なお、図１４及び図１５の他は図１〜図５の実施例と同様に構成されている。図において、(2)は昇降路(1)の上端部に設けられた綱止め梁からなる固定体、(10)は固定体(2)の上面及び下面に設けられた綱止め板で、後述する綱止め具(11)が挿通される貫通孔(26)が設けられている。(29)は固定体(2)の長手両端部にそれぞれ設けられて固定体(2)の長手に沿って延長された回動軸で昇降路(1)の上端部に固定された部材（図示しない)に枢持されている。
【００３５】
上記のように構成されたエレベータロープ装置においては、主索(13)の反保持側が図示が省略してあるが巻上機、油圧ジャッキ等により上昇又は下降される。これにより、主索(13)に下部が支持された昇降体(3)が昇降する。また、規制体(15)は主索(13)との対向部により軟質材(19)を介して主索(13)の少なくとも一本に接し主索(13)を昇降体(3)から離れる方向へ押圧し、主索(13)の水平方向における下垂位置が規制される。
【００３６】
これによって、昇降体(3)が上昇して主索(13)の保持端に接近しても、斜め控え(7)等の昇降体(3)部材と主索(13)との間に隙間が確保される。したがって、昇降体(3)に主索(13)が接触することによる異常音等の発生を未然に防止することができる。なお、昇降体(3)に揺れが生じたときに昇降体(3)部材が主索(13)に接触する恐れも解消される。
【００３７】
また、図１４及び図１５の実施例おいて、固定体(2)が回動軸(29)により長手を軸線として昇降路(1)に枢持されている。このため、昇降体(3)位置が昇降路(1)の上下方向のいずれであっても、固定体が昇降体(3)位置に応じて回動して正対する。したがって、綱止め具(11)、主索(13)端部に曲げ等の無理な荷重が作用せず疲労破壊等の事故を未然に防ぐことができる。
【００３８】
【発明の効果】
この発明の請求項１記載の発明は以上説明したように、昇降路を昇降する昇降体、一端が昇降路上端部の固定体に保持されて昇降体の側面に沿って下垂し昇降体の下部に枢持された滑車に係合された複数本の主索と、一側が昇降路の固定部に固定され他側は主索の保持端寄りに配置されて主索の少なくとも一本に接し、主索の水平方向における下垂位置を昇降体の側面から離れた位置に規制する規制体とを設けたものである。
【００３９】
これによって、下垂した主索の保持端寄りの水平方向位置が昇降路に設けられた規制体によって規制されて、昇降体が主索の保持端に接近したときの昇降体部材と主索の隙間が確保される。したがって、昇降体が上昇して主索の保持端に接近したときに主索と接触することによって生じる不具合を未然に防止する効果がある。
【００４０】
また、この発明の請求項２記載の発明は以上説明したように、昇降路を昇降する昇降体、この昇降路の上端部に設けられ昇降体に対して水平方向に接近隔離可能に締結された綱止め板を有する固定体と、一端が綱止め板を介して固定体に保持されて昇降体の側面に沿って下垂し昇降体の下部に枢持された滑車に係合された複数本の主索と、一側が昇降路の固定部に固定され他側は主索の保持端寄りに配置されて主索の少なくとも一本に接し、主索の水平方向における下垂位置を昇降体の側面から離れた位置に規制する規制体とを設けたものである。
【００４１】
これによって、綱止め板により昇降体に対して水平方向に接近隔離可能に主索の保持端が配置される。そして、下垂した主索の保持端寄りの水平方向位置が昇降路に設けられた規制体によって規制されて、昇降体が主索の保持端に接近したときの昇降体部材と主索の隙間が確保される。
したがって、昇降体が上昇して主索の保持端に接近したときに主索と接触することによって生じる不具合を未然に防止する効果がある。また、エレベータの据付誤差があった場合であっても、昇降体に対する適正位置に綱止め板を装着することができ、エレベータの据付工事を能率化する効果がある。
【図面の簡単な説明】
【図１】この発明の実施例１を示す図で、エレベータ装置の要部側面図。
【図２】図１の要部右側面図。
【図３】図２のＡ部拡大図。
【図４】図３の要部右側面図。
【図５】図４の平面図。
【図６】この発明の実施例２を示す図で、エレベータ装置の要部側面図。
【図７】図６の要部右側面図。
【図８】図７の規制体箇所の拡大斜視図。
【図９】図８の要部拡大縦断面図。
【図１０】この発明の実施例３を示す図で、エレベータ装置の要部側面図。
【図１１】図１０の要部右側面図。
【図１２】この発明の実施例４を示す図で、前述の図３相当図。
【図１３】図１２の綱止め板箇所の斜視図。
【図１４】この発明の実施例５を示す図で、前述の図３相当図。
【図１５】図１４の固定体箇所の斜視図。
【図１６】従来のエレベータロープ装置を示すエレベータ装置の要部側面図。
【図１７】図１６の要部右側面図。
【符号の説明】
１  昇降路
２  固定体
３  昇降体
９  滑車
１０  綱止め板
１３  主索
１５  規制体
【図１】
0003589681.tif 000002
【図２】
0003589681.tif 000003
【図３】
0003589681.tif 000004
【図４】
0003589681.tif 000005
【図５】
0003589681.tif 000006
【図６】
0003589681.tif 000007
【図７】
0003589681.tif 000008
【図８】
0003589681.tif 000009
【図９】
0003589681.tif 000010
【図１０】
0003589681.tif 000011
【図１１】
0003589681.tif 000012
【図１２】
0003589681.tif 000013
【図１３】
0003589681.tif 000014
【図１４】
0003589681.tif 000015
【図１５】
0003589681.tif 000016
【図１６】
0003589681.tif 000017
【図１７】
0003589681.tif 000018